(57)【要約】      （修正有）【課題】多種の電源を入力及び出力することができ、便利にどこででも使用できる多用途冷蔵装置を提供する。【解決手段】多用途冷蔵装置は、箱体１０、蓋２０体により組成し、箱体１０は、内部へと窪み冷蔵空間１１を形成し、別に空間を隔離し、リチウム電池１２を設置し、冷蔵空間１１は、リチウム電池１２から電力供給を受け、温度を低下させ、食物を新鮮に保ち、ソーラーパネルにより発電し、直流電源入力コネクター１８、交流電源入力コネクター１９、発電モジュール入力コネクター１Ｂなどの多種の電流入力の方式により、リチウム電池１２に充電することができ、電源接続線１３、直流電源出力コネクター１６、交流電源出力コネクター１７、ＵＳＢ電源出力コネクター１Ａ、ＬＥＤ照明装置１４など多種の電源出力方式により、リチウム電池１２を利用して電力供給を受け使用することができ、こうして多用途の使用機能を達成することができる。【選択図】図２
0003157259.tif 000002
【実用新案登録請求の範囲】
【請求項１】
箱体、蓋体により組成し、
前記箱体は、内部へと窪み冷蔵空間を形成し、別に空間を隔離し、リチウム電池を設置し、前記冷蔵空間は、前記リチウム電池から電力供給を受け、温度を低下させ、冷蔵の作用を執行し、
前記箱体片側の外部上には、リチウム電池と直接電気的に連接する１組の電源接続線を設置し、前記電源接続線の先端には、それぞれ電源接続クリップを接合し、
前記蓋体は、前記箱体上の前記冷蔵空間を備える面を閉じ、閉鎖と開放を行うことができ、
前記蓋体上には、ソーラーパネルを設置し、熱エネルギーを吸収して、内部に設置する熱エネルギー/電気エネルギーコンバーターにより、電気エネルギーに転換し、前記リチウム電池に対して充電を行うことができ、
前記箱体上には、前記リチウム電池により電力を供給するLED照明装置を設置し、
前記箱体上には、直流電源出力コネクターを設置し、前記リチウム電池により供給される電力を受け取り、直流電源が必要な時には、これに挿入接続して使用し、
前記箱体上にはさらに、交流電源出力コネクターを設置し、前記リチウム電池の電流を、前記箱体内部に設置する直流/交流コンバーターを経て交流電源に転換後に供給し、交流電源が必要な時には、これに挿入接続して使用し、
前記箱体上にはさらに、USB電源出力コネクターを設置し、前記リチウム電池の電流を変圧後に供給し、USBデバイスに電力を供給する必要がある時には、これに挿入接続して、使用することができ、
前記箱体上には、直流電源入力コネクターを設置し、直流電源を受け取ることができ、内部において、前記リチウム電池と電気的に連接し、前記リチウム電池に対して充電を行うことができ、
前記箱体上にはさらに、交流電源入力コネクターを設置し、交流電源を受け取ることができ、内部の交流/直流コンバーターを経て直流電源に転換後、前記リチウム電池と電気的に連接して、前記リチウム電池に対して充電を行うことを特徴とする多用途冷蔵装置。
【請求項２】
前記リチウム電池は、充電、放電が可能な蓄電池であることを特徴とする請求項１に記載の多用途冷蔵装置。
【請求項３】
前記電源接続線の電源接続クリップは、外側を絶縁作用を備えるハンドホールド壁体で覆い、前記電源接続線の線体は巻き取り可能で、さらに、前記電源接続クリップにより、前記箱体側面に突出する絶縁性板体を挟み、定位置とすることを特徴とする請求項１に記載の多用途冷蔵装置。
【請求項４】
前記箱体面上には、散熱構造を設置し、これにより前記箱体底部熱交換の熱を排出することを特徴とする請求項１に記載の多用途冷蔵装置。
【請求項５】
前記交流電源出力コネクターは、多数を設置することができるため、多種の電気製品を同時に使用することができることを特徴とする請求項１に記載の多用途冷蔵装置。
【請求項６】
前記箱体上には別に、発電モジュール入力コネクターを設置し、市内電源及びソーラーエネルギーにより充電可能であるばかりか、他の発電モジュールを挿入接続して充電することもでき、
前記発電モジュール入力コネクターから、接続して入力される電力は、前記箱体内部において、電圧を安定させ、整流された後、直流電源の方式で、前記リチウム電池と電気的に連接し、前記リチウム電池に対して充電を行うことを特徴とする請求項１に記載の多用途冷蔵装置。
【考案の詳細な説明】
【技術分野】
【０００１】
本考案は冷蔵装置に関し、特に冷蔵機能を備え、多種の電源を入力及び出力することができ、便利にどこででも使用できる多用途冷蔵装置に関する。
【背景技術】
【０００２】
冷蔵庫(冷蔵装置)は今や、一家に一台の必須家電である。冷蔵庫は、その冷蔵空間で食物を冷蔵(新鮮さを保持)し、冷凍することができるため、人は、酷暑の季節にも冷たい食品を楽しみ、涼味を味わうことができる。しかし、一般の家庭用冷蔵庫は、運転に必要な電力を得るため、市内電源に接続する必要があり、屋外に携帯して使用することは難しく、その点が不便である。週休二日制の実施以来、休日は戸外に出て自然に親しむ人たちが増えている。その際には、食物の新鮮さをいかにして保つかが、しばしば問題となるが、予め家で、その日の食料を準備しておく習慣がある人もいる。しかし、外出後は、携帯した食物は冷蔵保存されておらず、気温が高ければ、腐敗し、食用における危険性を引き起こす恐れがある。一方、レジャーで出かけた先で、その場その場で食物を買うことにすれば、衛生と出費が心配である。そのため、自動車用携帯冷蔵庫(携帯式冷蔵庫とも呼称)が市販され、屋外における食物保存の問題を解決している。従来の自動車用携帯冷蔵庫は、箱体上に、熱電式冷却ユニットを設置し、直流電源を流す(自動車用電源に接続するなど)と、冷蔵空間の温度は低下し、冷蔵の効果を達成することができるものである。しかし、自動車用携帯冷蔵庫は、主に車両本体から電源を供給するため、車両から持ち出せば、電力の供給が受けられなくなる。これにより、自動車用携帯冷蔵庫は単純な保冷機能しか残さない状態(温度はゆっくりと上昇する)となるため、時間が長くなる、或いはドアを数回開放すると、内部の食物には腐敗の恐れが生じる。すなわち、使用において、やはり極めて大きな不便が存在すると言わざるを得ない。本考案は、従来の冷蔵装置の上記した欠点に鑑みてなされたものである。
【考案の概要】
【考案が解決しようとする課題】
【０００３】
本考案が解決しようとする課題は、冷蔵機能を備え、多種の電源を入力及び出力することができ、便利にどこででも使用できる多用途冷蔵装置を提供することである。
【課題を解決するための手段】
【０００４】
上記課題を解決するため、本考案は下記の多用途冷蔵装置を提供する。
多用途冷蔵装置は、箱体、蓋体により組成し、
該箱体は、内部へと窪み冷蔵空間を形成し、別に空間を隔離し、リチウム電池を設置し、該冷蔵空間は、該リチウム電池から電力供給を受け、温度を低下させ、冷蔵の作用を執行し、
該箱体片側の外部上には、リチウム電池と直接電気的に連接する１組の電源接続線を設置し、該電源接続線の先端には、それぞれ電源接続クリップを接合し、
該蓋体は、該箱体上の該冷蔵空間を備える面を閉じ、閉鎖と開放を行うことができ、
該蓋体上には、ソーラーパネルを設置し、熱エネルギーを吸収して、内部に設置する熱エネルギー/電気エネルギーコンバーターにより、電気エネルギーに転換し、該リチウム電池に対して充電を行うことができ、
該箱体上には、該リチウム電池により電力を供給するLED照明装置を設置し、
該箱体上には、直流電源出力コネクターを設置し、該リチウム電池により供給される電力を受け取り、直流電源が必要な時には、これに挿入接続して使用し、
該箱体上にはさらに、交流電源出力コネクターを設置し、該リチウム電池の電流を、該箱体内部に設置する直流/交流コンバーターを経て交流電源に転換後に供給し、交流電源が必要な時には、これに挿入接続して使用し、
該箱体上にはさらに、USB電源出力コネクターを設置し、該リチウム電池の電流を変圧後に供給し、USBデバイスに電力を供給する必要がある時には、これに挿入接続して、使用することができ、
該箱体上には、直流電源入力コネクターを設置し、直流電源を受け取ることができ、内部において、該リチウム電池と電気的に連接し、該リチウム電池に対して充電を行うことができ、
該箱体上にはさらに、交流電源入力コネクターを設置し、交流電源を受け取ることができ、内部の交流/直流コンバーターを経て直流電源に転換後、該リチウム電池と電気的に連接して、該リチウム電池に対して充電を行うことができ、
該リチウム電池は、充電、放電が可能な蓄電池で、
該電源接続線の電源接続クリップは、外側を絶縁作用を備えるハンドホールド壁体で覆い、該電源接続線の線体は巻き取り可能で、さらに、該電源接続クリップにより、該箱体側面に突出する絶縁性板体を挟み、定位置とすることができ、
該箱体面上には、散熱構造を設置し、これにより該箱体底部熱交換の熱を排出し、
該交流電源出力コネクターは、多数を設置することができるため、多種の電気製品を同時に使用することができ、
該箱体上には別に、発電モジュール入力コネクターを設置し、市内電源及びソーラーエネルギーにより充電可能であるばかりか、他の発電モジュールを挿入接続して充電することもでき、
該発電モジュール入力コネクターから、接続して入力される電力は、該箱体内部において、電圧を安定させ、整流された後、直流電源の方式で、該リチウム電池と電気的に連接し、該リチウム電池に対して充電を行うことができる。
【考案の効果】
【０００５】
本考案多用途冷蔵装置は、リチウム電池により電力を供給し、冷蔵空間の温度を低下させ、食物を新鮮に保つことができる。同時に、ソーラーパネルにより発電し、直流電源入力コネクター、交流電源入力コネクター、発電モジュール入力コネクターなどの多種の方式により電流を入力し、リチウム電池に対して充電を行うことができる。また、電源接続線により、直流電源出力コネクター、交流電源出力コネクター、USB電源出力コネクター、LED照明装置などの多種の方式により電流を出力し、リチウム電池を利用して電力を供給して使用することができ、多用途の使用機能を確実に備えている。
【図面の簡単な説明】
【０００６】
【図１】本考案実施例において、蓋体を閉めた状態を示す立体図である。
【図２】本考案実施例において、蓋体を開けた状態を示す立体図である。
【図３】本考案実施例の構造を示すブロックチャートである。
【図４】本考案実施例において、電源接続クリップを定位する様子を示す模式図である。
【考案を実施するための形態】
【０００７】
以下に図面を参照しながら本考案を実施するための最良の形態について詳細に説明する。  
【０００８】
図１、２、３に示すように、本考案多用途冷蔵装置全体は、冷蔵装置１で、箱体１０、蓋体２０により組成される。箱体１０は、内部へと窪み冷蔵空間１１を形成する。冷蔵空間１１には、冷蔵しようとする食品を入れることができる。冷蔵空間１１片側には、別に空間を隔離し、内部には、リチウム電池１２を設置する。リチウム電池１２は、充電、放電が可能な蓄電池で、冷蔵空間１１は、リチウム電池１２から電力供給を受け、温度を低下させ、冷蔵の作用を執行する。箱体１０片側の外部上には、リチウム電池１２と直接電気的に連接する１組(プラスとマイナスが各１本)の電源接続線１３を設置する。電源接続線１３の先端には、それぞれ電源接続クリップ１３１(外側は絶縁作用を備えるハンドホールド壁体で覆う)を接合する。図４に示すように、未使用時には、電源接続線１３の線体を巻き取り、さらに、電源接続クリップ１３１により、箱体１０側面に突出する絶縁性板体１３２を挟み、定位置とする。バッテリーが切れた車両と接続して、その電力によりエンジンを起動するために用いる際には、電源接続クリップ１３１を押し、板体１３２に対する挟持を解除し、次に巻いていた線体をほぐし、接続しようとする車両の方へと伸ばす。こうして、リチウム電池１２と電源接続線１３の接続と電力供給により、車両のエンジンを便利に起動させることができる。
【０００９】
蓋体２０は、箱体１０上の冷蔵空間１１、リチウム電池１２を備える面を閉じる(覆う)ことができる。よって、蓋体２０を開けると、箱体１０の冷蔵空間１１が露出し、食物の出し入れを便利に行うことができる。蓋体２０と箱体１０との間の接合は、可動接続閉鎖、或いは直接閉鎖などの多種の手段を選択することができ、それらはすべて本考案の保護範囲に含むものとする。蓋体２０の頂点部には、ソーラーパネル２１を設置し、熱エネルギーを吸収して、内部に設置する熱エネルギー/電気エネルギーコンバーター２１０(図３参照)により、電気エネルギーに転換し、リチウム電池１２と電気的に連接することで、リチウム電池１２に充電することができる。
【００１０】
箱体１０片側面上には、LED照明装置１４を設置する。LED照明装置１４には、リチウム電池１２により電力を供給し、必要に応じて照明として使用する。箱体１０面上には、散熱構造１５を設置し、これにより箱体１０底部熱交換の熱を排出する。箱体１０片側面上には、直流電源出力コネクター１６を設置し、リチウム電池１２により供給される電力を受け取り、直流電源が必要な時には、これに挿入接続して使用する。箱体１０上にはさらに、交流電源出力コネクター１７を設置し、リチウム電池１２の電流を、箱体１０内部に設置する直流/交流コンバーター１７０を経て交流電源に転換後に供給し、交流電源が必要な時には、これに挿入接続して使用する。しかも、交流電源出力コネクター１７は、多数を設置することができるため、多種の電気製品を同時に使用することができる。箱体１０上にはさらに、USB電源出力コネクター１Aを設置し、リチウム電池１２の電流を変圧して、電圧を安定させた後に電力を供給し、USBデバイスに電力を供給する必要がある時には、これに挿入接続して、使用することができる。
【００１１】
箱体１０片側面上には、直流電源入力コネクター１８を設置し、直流電源を挿入接続することができ、内部のリチウム電池１２と電気的に連接し、リチウム電池１２に対して充電を行うことができる。箱体１０側面上にはさらに、交流電源入力コネクター１９を設置し、交流電源(一般の市内電源)を挿入接続することができ、内部の交流/直流コンバーター１９０(図３参照)を経て直流電源に転換後、リチウム電池１２と電気的に連接して、リチウム電池１２に対して充電を行うことができる。箱体１０上には別に、発電モジュール入力コネクター１Bを設置する。これにより、本考案は、市内電源及びソーラーエネルギーにより充電可能であるばかりか、他の発電モジュールを挿入接続して充電することもできる。発電モジュール入力コネクター１Bから、接続して入力される電力は、箱体１０内部において、電圧を安定させ、整流された後、直流電源の方式で、リチウム電池１２と電気的に連接し、リチウム電池１２に対して充電を行うことができる。
【００１２】
本考案実施例の冷蔵装置１が、蓋体２０を箱体１０上に蓋する外観は図１に示す。図に示すように、冷蔵空間１１とリチウム電池１２とは、蓋体２０により覆われ(露出しない)、電源接続線１３、LED照明装置１４、散熱構造１５、直流電源出力コネクター１６、交流電源出力コネクター１７、USB電源出力コネクター１A、直流電源入力コネクター１８、交流電源入力コネクター１９、発電モジュール入力コネクター１B、ソーラーパネル２１は、外部において露出し、使用に便利である。蓋体２０を開ける(めくり開ける)と、図２に示すように、冷蔵空間１１は露出し、食物を便利に取り出し、また入れることができる。本考案実施例の冷蔵装置１の構造ブロックチャートである図３に示すように、冷蔵装置１全体は、冷蔵空間１１に食物を入れ、或いは取り出すほかに、多種の利用に対応することができる。
電流入力及び出力の方式は、以下の通りである。
1.  ソーラーパネル２１に太陽光が照射することで、太陽エネルギーは電気エネルギーに転換され、リチウム電池１２内に保存される。
2.  直流電源に接続することができるため、直流電源を直流電源入力コネクター１８に挿入接続して、リチウム電池１２に入力し、リチウム電池１２内に保存(充電)することができる。
3.  交流電源(一般の市内電源)に接続することができるため、交流電源を交流電源入力コネクター１９に挿入接続して、交流/直流コンバーター１９０を通して直流電源に転換後、リチウム電池１２に入力し、リチウム電池１２内に保存(充電)することができる。
4.  市内電源及びソーラーエネルギーに接続可能であるばかりか、他の発電モジュールの電源にも接続可能で、発電モジュール入力コネクター１Bから、接続して入力される電力は、電圧を安定させ、整流された後、リチウム電池１２に入力し、リチウム電池１２内に保存(充電)することができる。
【００１３】
本考案実施例の冷蔵装置１における、出力電流の使用方式は以下の通りである。
1.  直流電源を出力可能であるため、直流電源を使用する電気製品は、直流電源出力コネクター１６に挿入接続して、リチウム電池１２が出力する直流電源を直接使用することができる。
2.  交流電源を出力可能であるため、交流電源を使用する電気製品が、交流電源出力コネクター１７に挿入接続する時、リチウム電池１２の直流電源は、箱体１０内部に設置する直流/交流コンバーター１７０により交流電源に転換された後、交流電源として供給され、しかも交流電源出力コネクター１７は複数の設置が可能であるため、多種の電気製品を便利に同時に使用することができる。
3.  USBデバイスが必要とする電流を提供することができるため、USBデバイスをUSB電源出力コネクター１Aに挿入して、USBデバイスが必要とする電流を提供することができる。
4.  エンジンを起動させる機能を提供することができるため、車両のバッテリーが切れた時には、電源接続線１３を使用し、電源接続クリップ１３１と車両のバッテリーを接続すれば、車両のエンジンを起動させることができる。
5.  LED照明装置１４を使用することができるため、戸外で活動する時に、必要な照明を提供することができる。
【００１４】
上記したように、本考案の冷蔵装置は、リチウム電池により電力を供給し、冷蔵空間の温度を低下させ、食物を新鮮に保つことができる。同時に、ソーラーパネルにより発電し、直流電源入力コネクター、交流電源入力コネクター、発電モジュール入力コネクターなどの多種の方式により電流を入力し、リチウム電池に対して充電を行うことができる。また、電源接続線により、直流電源出力コネクター、交流電源出力コネクター、USB電源出力コネクター、LED照明装置などの多種の方式により電流を出力し、リチウム電池を利用して電力を供給して使用することができ、多用途の使用機能を確実に備えている。
【００１５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１６】
本考案は実用新案の要件である新規性を備え、従来の同類製品に比べ十分な進歩を有し、実用性が高く、社会のニーズに合致しており、産業上の利用価値は非常に大きい。
【符号の説明】
【００１７】
１  冷蔵装置
１０  箱体
１１  冷蔵空間
１２  リチウム電池
１３  電源接続線
１３１  電源接続クリップ
１３２  板体
１４  LED照明装置
１５  散熱構造
１６  直流電源出力コネクター
１７  交流電源出力コネクター
１７０  直流/交流コンバーター
１A  USB電源出力コネクター
１８  直流電源入力コネクター
１９  交流電源入力コネクター
１９０  交流/直流コンバーター
１B  発電モジュール入力コネクター
２０  蓋体
２１  ソーラーパネル
２１０  熱エネルギー/電気エネルギーコンバーター
【図１】
0003157259.tif 000003
【図２】
0003157259.tif 000004
【図３】
0003157259.tif 000005
【図４】
0003157259.tif 000006